(57)【要約】      （修正有）【課題】物理コミュニティーに電子商取引サービスを提供する方法を提供する。【解決手段】カスタマー側装置が電子商取引サービスのサーバーに接続されるとき、サーバーはカスタマー側装置が取得するアドレス情報が物理コミュニティーに位置するか否かにより、カスタマー側装置にサーバーにおけるカスタマーアカウントの登録を許可するか否かを決定する。カスタマーアカウントを登録した後に、カスタマー側装置はカスタマーアカウントでサーバーにログインし、サーバーにおいて商品サービスを注文できる。その後、商品サービスはアドレス情報に送られ、特定物理コミュニティーの住民に限って電子化商業サービスを受けられる。【効果】商品サービスのサプライヤー、物理コミュニティーの住民の双方、及び電子化商業サービスを提供する第３者業者のいずれもが、利益を得られる。【選択図】図１Ａ
2016009493.tif 000002
【特許請求の範囲】
【請求項１】
物理コミュニティーに電子商取引サービスを提供する方法において、そのステップは、
カスタマー側装置がサーバーに接続し、
該サーバーが該カスタマー側装置よりアドレス情報を取得し、
該アドレス情報が物理コミュニティーに位置するとき、該サーバーは該カスタマー側装置が該サーバーにおいてカスタマーアカウントを登録することを許可し、
該カスタマー側装置が該カスタマーアカウントで該サーバーにログインし、並びに該サーバーにおいて少なくとも一つの商品サービスを注文し、
該商品サービスを該アドレス情報に送る、
以上を含むことを特徴とする、物理コミュニティーに電子商取引サービスを提供する方法。
【請求項２】
請求項１記載の物理コミュニティーに電子商取引サービスを提供する方法において、該カスタマー側装置が該サーバーに接続した後に、該サーバーが該カスタマー側装置より該アドレス情報を取得する前に、さらに、
該サーバーが該カスタマー側装置が伝送したチェック情報が正確であるか否かをチェックするステップ、
を含むことを特徴とする、物理コミュニティーに電子商取引サービスを提供する方法。
【請求項３】
請求項２記載の物理コミュニティーに電子商取引サービスを提供する方法において、該チェック情報は、該カスタマー側装置と該サーバーの間で間に構築される仮想プライベートネットワークが必要とするアカウントパスワードとされることを特徴とする、物理コミュニティーに電子商取引サービスを提供する方法。
【請求項４】
請求項１記載の物理コミュニティーに電子商取引サービスを提供する方法において、該サーバーはさらに、該カスタマー側装置より該アドレス情報に居住するカスタマーの氏名或いはＩＤカードナンバーを取得することを特徴とする、物理コミュニティーに電子商取引サービスを提供する方法。
【請求項５】
請求項１記載の物理コミュニティーに電子商取引サービスを提供する方法において、該サーバーは、該カスタマー側装置よりアドレス情報を取得し、該サーバーは該アドレス情報により該カスタマー側装置が該物理コミュニティーに位置するか否かを判断することを特徴とする、物理コミュニティーに電子商取引サービスを提供する方法。
【請求項６】
請求項５記載の物理コミュニティーに電子商取引サービスを提供する方法において、該アドレス情報は、物理ＩＰアドレス或いはＩＰアドレスを包含することを特徴とする、物理コミュニティーに電子商取引サービスを提供する方法。
【請求項７】
請求項１記載の物理コミュニティーに電子商取引サービスを提供する方法において、該カスタマー側装置と該サーバーは、一つのローカルエリアネットワークに含まれることを特徴とする、物理コミュニティーに電子商取引サービスを提供する方法。
【請求項８】
請求項１記載の物理コミュニティーに電子商取引サービスを提供する方法において、該サーバーはさらに、該カスタマー側装置より測位情報を取得し、該サーバーは該測位情報により該カスタマー側装置が該物理コミュニティーに位置するか否かを判断することを特徴とする、物理コミュニティーに電子商取引サービスを提供する方法。
【請求項９】
請求項８記載の物理コミュニティーに電子商取引サービスを提供する方法において、該測位情報は、衛星で該カスタマー側装置を測位することで得られることを特徴とする、物理コミュニティーに電子商取引サービスを提供する方法。
【発明の詳細な説明】
【技術分野】
【０００１】
本発明は一種の、物理コミュニティーに電子商取引サービスを提供する方法に係り、特に一種の、物理コミュニティーのカスタマーに限って会員として登録し、物理コミュニティーグループの購入潜在能力は消費者のサプライヤーに対する値下げ交渉能力を強化すると共に、サプライヤーに安定したカスタマーグループを獲得させ並びに商品サービス供給コストを減らすため、サプライヤーとカスタマーの双方にメリットがある方法に関する。
【背景技術】
【０００２】
近年、コンピュータ設備とインターネットの普及に伴い、新興の商業形式である「電子商取引」（e-commerce)が勃興発展し、売買双方が、実際に対面しなくとも、インターネットを媒体として各種の商業活動を行なえるようになり、大幅に時間と場所による商取引活動の制限を減らしており、消費者がサプライヤー自身或いは第三者業者が架設したオンラインショッピングプラットフォームより商品又はサービスを注文し、金融機構が提供するオンライン支払いサービスを組み合わせ、さらにサプライヤーと物流業者により商品の配送を行なうことで、消費者は家から出ないで全体のショッピングのフローを完成することができ、電子商取引サービスの便利性は、自然に消費者の購買意欲と衝動を刺激し、それにより目に見えるビジネスチャンスを創造する。
【０００３】
台湾の電子商取引サービス市場は、２００５年に開始してから迅速に生長し、２０１１年には、取引額は４３００億新台湾元にも達し、このような電子商取引サービスの潮流は、十分な利益を提供し、多くの新興のネットワークオリジンの企業の勃興をもたらし、物理チャネルを有する多くの商店或いはブランドもまたオンラインショッピングプラットフォームにより新たな利益獲得空間を生じようと試み、積極的なネットワーク販売の展開を開始している。しかし、比較的遅く参入したオンラインショッピングプラットフォームが、市場で成功するのは比較的難しく、すでに習慣的に特定のオンラインショッピングプラットフォームで特定のサプライヤーより商品或いはサービスを購入している消費者にとっては、その他のオンラインショッピングプラットフォームに登録して会員となる意欲は通常高くなく、このため、新たに設立されたオンラインショッピングプラットフォームは、通常、会員数量が予期したようでなく、実際に消費行為を行なう会員の比率は片寄りがちであるという経営の劣勢に直面しなければならない。
【発明の概要】
【発明が解決しようとする課題】
【０００４】
本発明の主要な目的は、一種の物理コミュニティーに電子商取引サービスを提供する方法を提供することにあり、特定物理コミュニティーのカスタマーに限ってオンラインショッピングプラットフォームのカスタマーとして登録させることで、オンラインショッピングプラットフォームを架設した業者にカスタマーアカウントとカスタマーＩＤの連結性が比較的強く且つ購買潜在能力が比較的良好であるカスタマーグループを獲得させ、並びにこのカスタマーグループと商品サービスを提供するサプライヤーを結びつけることで利潤を獲得する。
【０００５】
本発明の次の目的は、一種の物理コミュニティーに電子商取引サービスを提供する方法を提供することにあり、特定物理コミュニティーのカスタマーに限ってオンラインショッピングプラットフォームのカスタマーとして登録させることで、オンラインショッピングプラットフォームの商品提供サービスを利用するサプライヤーが、より有効にカスタマーグループを掌握して商品サービスの販売を推進し、それと同時にカスタマーがいずれも物理コミュニティーに集中して居住していることで、サプライヤーの商品配送とサービス提供のコストを低減する。
【０００６】
本発明のもう一つの目的は、一種の物理コミュニティーに電子商取引サービスを提供する方法を提供することにあり、特定物理コミュニティーのカスタマーに限ってオンラインショッピングプラットフォームのカスタマーとして登録させることで、個別のカスタマーの購買潜在能力を整合させてグループとなすことで、比較的高い価格交渉能力を獲得させ、オンラインショッピングプラットフォームを架設した業者或いはサプライヤーより比較的お得な価格或いはリワードを獲得できる。
【課題を解決するための手段】
【０００７】
上述のいわゆる目的と作用効果を達成するため、本発明は一種の、物理コミュニティーに電子商取引サービスを提供する方法を提示し、サーバーにおいて電子商取引サービスのプラットフォームを構築し、並びに物理コミュニティーのカスタマーに限ってこの電子商取引サービスプラットフォームのカスタマーとして登録させて電子商取引サービスを利用させ、カスタマー側装置がサーバーに接続されるとき、該サーバーは該カスタマー側装置よりアドレス情報が物理コミュニティーに位置しているか否かにより、該カスタマー側装置の該サーバーにおけるカスタマーアカウント登録を許可するか否かを決定し、該カスタマー側装置が該カスタマーアカウントで該サーバーにログインした後に、該サーバーにおいて商品サービスを注文でき、その後、該商品サービスを提供するサプライヤーは、該商品サービスを該アドレス情報が記載する地点に送る。
【発明の効果】
【０００８】
一般のオンラインショッピングプラットフォームが募集する会員数量が不足し、及び消費表現が不良であるという問題を解決するため、本発明者は、一種の、物理コミュニティーに電子商取引サービスを提供する方法を構想し、一般のオンラインショッピングプラットフォームが、インターネットを通して各地より会員を募集するのとは異なり、本発明中のオンラインショッピングプラットフォームは、特定物理コミュニティーのカスタマーに限ってその会員として登録させ、会員アカウントと会員ＩＤの連結性は比較的強く、サプライヤーが商品とサービスを販売するのに有利であり、さらに、会員はいずれも特定物理コミュニティーに居住しているため、分布が非常に密集し、さらにサプライヤーが商品を配送しサービスを提供するコストを下げることができる。
【０００９】
また一方で、本発明は、単一のカスタマーがもともと有している零細な購入潜在能力を、物理コミュニティーを単位として凝集させることで、全体のカスタマーに価格交渉能力が比較的強いグループを形成させ、これにより、サプライヤーから比較的お得な価格をゲットし、ひいてはサプライヤーに取り引き以外の部分でコミュニティーにフィードバックすることを約束させ、全体として、本発明は特定物理コミュニティーのカスタマー専用の会員登録のオンラインショッピングプラットフォームを構築することで、物理コミュニティーのカスタマーカスタマーグループと商品サービスのサプライヤーを結びつけ、取り引きコストを下げて双方の取り引き中の利益獲得の空間を広げ、売り手と買い手双方が共に利益を享受できる局面を創造する。
【図面の簡単な説明】
【００１０】
【図１Ａ】本発明の第１実施例のステップフローチャートである。
【図１Ｂ】本発明の第１実施例のエレメント接続関係表示図である。
【図２】本発明の第２実施例のエレメント接続関係表示図である。
【図３】本発明の第３実施例のエレメント接続関係表示図である。
【図４Ａ】本発明の第４実施例のステップフローチャートである。
【図４Ｂ】本発明の第４実施例のエレメント接続関係表示図である。
【図５Ａ】本発明の第５実施例のステップフローチャートである。
【図５Ｂ】本発明の第５実施例のエレメント接続関係表示図である。
【発明を実施するための形態】
【００１１】
以下に本発明の技術内容、構造特徴、達成する目的及び作用効果について、以下に例を挙げ並びに図面を組み合わせて詳細に説明する。
【００１２】
本発明は一種の、物理コミュニティーに電子商取引サービスを提供する方法であり、その特色は、アドレス情報を主とし、その他の情報を補助とした検証により、特定物理コミュニティーのカスタマーに限り、オンラインショッピングプラットフォームの会員として登録させ、プラットフォームを架設した第３者業者が、物理コミュニティーカスタマーが形成するカスタマーグループを掌握できるようにし、サプライヤーがこのカスタマーグループに提供する商品或いはサービスを結びつけ、物理コミュニティーカスタマーが形成するカスタマーグループはサプライヤーの商品のセールス及び配送のコストを下げられ、同時にカスタマーグループ自身の価格交渉能力をアップして比較的お得な価格プラン或いはリワードを勝ち取れるため、売買側双方が取り引きコストを下げることができる。
【００１３】
図１Ａ及び図１Ｂを参照されたい。それは、本発明の第１実施例のステップフローチャートとエレメント接続関係表示図である。図１Ａに示されるように、本発明の物理コミュニティーに電子商取引サービスを提供する方法の主要なステップは以下を含む。
【００１４】
ステップＳ１０：カスタマー側装置がサーバーに接続される。
【００１５】
ステップＳ２０：サーバーがカスタマー側装置のアドレス情報を取得する。
【００１６】
ステップＳ３０：サーバーがアドレス情報が物理コミュニティーに位置するか否かを判断する。
【００１７】
ステップＳ４００：サーバーがカスタマー側装置のカスタマーアカウント登録を許可する。
【００１８】
ステップＳ４０２：サーバーがカスタマー側装置のカスタマーアカウント登録を許可しない。
【００１９】
ステップＳ５０：カスタマー側装置がカスタマーアカウントでサーバーにログインする。
【００２０】
ステップＳ６０：カスタマー側装置がサーバーにおいて商品サービスを注文する。
【００２１】
ステップＳ７０：商品サービスをアドレス情報に送る。
【００２２】
図１Ｂに示されるように、物理コミュニティー１は、複数のカスタマー１０と複数のカスタマー側装置１２を包含し、これらカスタマー１０はそれぞれこれらカスタマー側装置１２を使用してサーバー２０に接続され、該サーバー２０内にオンラインショッピングプラットフォームが架設されている。本実施例中、これらカスタマー側装置１２はそれぞれルーター１４に接続されて、ローカルエリアネットワーク１６を形成し、該ローカルエリアネットワーク１６に含まれるこれらカスタマー側装置１２は、いずれも該ルーター１４を通してインターネット３に接続され、該インターネット３を介して該ローカルエリアネットワーク１６外の該サーバー２０に接続されることができる。このほか、図中に表示されている外部人員４０は、外部装置４２を利用して該インターネット３に接続し、並びに該インターネット３を介して該サーバー２０に接続される。
【００２３】
ステップＳ１０中、該サーバー２０が提供する電子商取引サービスを利用するため、該物理コミュニティー１中のカスタマー１０は、そのうち一つのカスタマー側装置１２を使用して該ルーター１４を通して該インターネット３に接続され、並びに該インターネット３を介して該サーバー２０に接続され、また、該外部人員４０もまた該外部装置４２を使用して、該インターネット３を介して該サーバー２０に接続する。
【００２４】
ステップＳ２０中、該サーバー２０は、該カスタマー側装置１２より該カスタマー１０が入力したアドレス情報を取得し、別に該外部装置４２より該外部人員４０が入力した別のアドレス情報を取得する。
【００２５】
ステップＳ３０中、該サーバー２０は、これらアドレス情報が該物理コミュニティー１に位置するか否かをそれぞれ判断し、該オンラインショッピングプラットフォームを架設した第３者業者は、事前に該物理コミュニティー１が包含する複数のアドレスを該サーバー２０内に保存し、該サーバー２０がその保存するこれらアドレス情報中に、該カスタマー側装置１２及び該外部装置４２が伝送したこれらアドレス情報と一致するかを対比し、これにより該カスタマー１０と該外部人員４０が該物理コミュニティー１に居住しているか否かを確認する。
【００２６】
該外部人員４０は該物理コミュニティー１に居住していないので、該外部人員４０は該外部装置４２を通して入力し並びに該サーバー２０へと伝送した該アドレス情報は、該サーバー２０内に保存されたどのアドレス情報とも一致せず、該サーバー２０は該外部装置４２より取得した該アドレス情報が該物理コミュニティー１内に位置しないと判断し、ステップＳ４０２を実行し、該外部人員４０が該外部装置４２を使用して該サーバー２０内に架設された該オンラインショッピングプラットフォームにカスタマーアカウント登録を行なうのを許可しない。
【００２７】
反対に、該カスタマー１０は該物理コミュニティー１に居住するため、該カスタマー１０が該カスタマー側装置１２を通して入力し並びにサーバー２０に伝送した該アドレス情報は、該サーバー２０内に保存されたアドレス情報の一つに一致し、該サーバー２０は、該アドレス情報が該物理コミュニティー１内に位置すると判断し、それによりステップＳ４００を実行し、該カスタマー１０が該カスタマー側装置１２を使用して該サーバー２０内に架設されたオンラインショッピングプラットフォームにおいてカスタマーアカウント登録を行なうのを許可する。
【００２８】
該カスタマー１０は、該カスタマーアカウントを登録した後、ステップＳ５０を実行でき、ステップＳ５０中、該カスタマー１０は該カスタマー側装置１２を利用して、該カスタマーアカウントで該サーバー２０にログインする。
【００２９】
ステップＳ６０中、該カスタマー１０は該カスタマー側装置１２を使用して該サーバー２０において架設された該オンラインショッピングプラットフォームに進入し、該オンラインショッピングプラットフォームを通して該カスタマーアカウントで商品サービスを注文する。
【００３０】
その後、該商品サービスを提供するサプライヤーは該カスタマーアカウントが該商品サービスを注文した記録を取得し、並びに該カスタマー１０が該カスタマーアカウントを登録するときに入力した該アドレス情報を取得し、それによりステップＳ７０を実行し、ステップＳ７０において、該サプライヤーは該商品サービスを該アドレス情報が表示する地点に送る。
【００３１】
上述のエレメントの設置及びステップＳ１０からステップＳ７０の実施を通し、本発明が提供する物理コミュニティーに電子商取引サービスを提供する方法は、該サーバー２０が該カスタマー側装置１２或いは該外部装置４２より取得したアドレス情報により、それらが該物理コミュニティー１に位置するか否かを判断して、該カスタマー１０或いは該外部人員４０が該カスタマー側装置１２或いは該外部装置４２を使用して該サーバー２０においてカスタマーアカウントを登録することを許可するか否かを決定し、該物理コミュニティー１のこれらカスタマー１０に限って、該オンラインショッピングプラットフォームのカスタマーとして登録できるようにする目的を達成し、前述したように、これらカスタマー１０が該オンラインショッピングプラットフォームのカスタマーとして登録した後、該オンラインショッピングプラットフォームを提供する第３者業者は、これらカスタマーが形成するカスタマーグループと複数の商品サービスを提供する複数のサプライヤーを結びつけ、これらサプライヤーは該第３者業者を通してこれらカスタマーが形成するカスタマーグループを掌握して商品サービスの販売を行なえ、これらカスタマーが形成するカスタマーグループは、団体の価格交渉能力を利用して、これらサプライヤーから比較的お得な価格プランを勝ち取ることができるか、或いはこれらサプライヤーに、該物理コミュニティー１に対してリワードを要求することができる。
【００３２】
このほか、これらカスタマー１０は、該物理コミュニティー１中に集中して居住しているため、これらアドレス情報間の距離は相当に短く、これにより、これらサプライヤーがこれら商品サービスを提供するコストは下がり、加えて、該物理コミュニティー１のこれらカスタマー１０全体が表現する購入潜在能力は比較的大きく、これらのサプライヤーが比較的よい利潤を獲得できるチャンスを有するようにし、サプライヤーが該物理コミュニティー１のこれらカスタマー１０に与える価格優待或いはリワード提供の意欲を高め、売買双方間に、順方向のインタラクティブな循環を形成させ、双方が共に利益を享受できる局面を創造する。
【００３３】
該アドレス情報以外に、本発明中、さらに該カスタマー１０に、該カスタマー側装置１２を通してその氏名、ＩＤカードナンバー等の個人情報を提供することを要求して、該サーバー２０が該カスタマー１０の身分を確認する根拠とすることができる。しかし、現代の社会の個人情報の多くが外部で流通する状況では、これらカスタマーの情報だけで該サーバー２０が一つの装置の一人の使用者がカスタマーアカウントを登録するか否かの根拠とするのは、十分ではないため、余分に該装置位置の判断を加えることにより、さらに該カスタマー側装置１２が該物理コミュニティー１内に位置していなければならないという制限により、該オンラインショッピングプラットフォームのこれらカスタマーの身分確認と制限を強化する。
【００３４】
本実施例中、すなわちさらに、該カスタマー側装置１２よりアドレス情報を取得し、それにより該カスタマー側装置１２が該物理コミュニティー１に位置しているか否かを判断する。前述のとおり、本実施例中、これらカスタマー側装置１２は、いずれも該ローカルエリアネットワーク１６に包含され、該ルーター１４を通して該インターネット３に接続され、該ルーター１４は該ローカルエリアネットワーク１６外で固定のインターネットプロトコルアドレス（Internet Protocol Address,IPアドレス）を使用し、該ローカルエリアネットワーク１６内でこれらカスタマー側装置１２に、それぞれ使用する複数の仮想ＩＰアドレスを割り当て、これらカスタマー側装置１２が該ルーター１４を通して該インターネット３に接続するときに、該物理ＩＰアドレスを享受させられるようにする。
【００３５】
再度図１Ａを参照されたい。本発明は、ステップＳ１０の後、ステップＳ２０の前に、さらに以下のステップを包含してもよい。
【００３６】
ステップＳ２２：サーバーがカスタマー側装置よりアドレス情報を取得する。
【００３７】
ステップＳ３２：サーバーがカスタマー側装置が物理コミュニティーに位置しているか否かを判断する。
【００３８】
ステップＳ２２中、該サーバー２０はそれぞれ該カスタマー側装置１２と該外部装置４２のこれらアドレス情報を取得し、そのうち、該カスタマー側装置１２は該ローカルエリアネットワーク１６外に接続されるときは、該ルーター１４が使用する該物理ＩＰアドレスを共有し、該外部装置４２はすなわち、別の物理ＩＰアドレスを使用する。
【００３９】
ステップＳ３２中、該サーバー２０はこれらアドレス情報により、それぞれ該カスタマー側装置１２と該外部装置４２が該物理コミュニティー１に位置しているか否かを判断し、本実施例中の該ルーター１４が使用する該物理ＩＰアドレスは固定であり、該カスタマー側装置１２が該ルーター１４により共有する物理ＩＰアドレスもまた固定であり、該サーバー２０は該カスタマー側装置１２と該外部装置４２より取得したこれらアドレス情報が、該サーバー２０の既知の該ルーター１４の該物理ＩＰアドレスと一致するか否かを対比することで、該カスタマー側装置１２と該外部装置４２が該ローカルエリアネットワーク１６に含まれるか否かを判断し、さらに、該カスタマー側装置１２と該外部装置４２が該物理コミュニティー１に位置するか否かを推論する。
【００４０】
該カスタマー側装置１２は、該ローカルエリアネットワーク１６に含まれ、該サーバー２０が該カスタマー側装置１２より取得する該アドレス情報は該ルーター１４の該物理ＩＰアドレスと一致し、該サーバー２０は該カスタマー側装置１２が該物理コミュニティー１中に位置すると判断し、すなわち続いてステップＳ２０を実行し、該カスタマー側装置１２より該アドレス情報を取得し並びに該カスタマー１０が該カスタマー側装置１２を利用して該サーバー２０において該カスタマーアカウントの登録を行なうことを許可するか否かを判断する。
【００４１】
反対に、該外部装置４２は該ローカルエリアネットワーク１６に含まれないため、該サーバー２０が該外部装置４２より取得する該アドレス情報は該ルーター１４の該物理ＩＰアドレスと一致せず、該サーバー２０は該外部装置４２が該物理コミュニティー１に位置しないと判断し、すなわち、ステップＳ４０２を実行し、該外部人員４０が該サーバー２０においてカスタマーアカウントを登録するのを許可しない。
【００４２】
さらにステップＳ２２とステップＳ３２を実施することにより、本発明の提供する物理コミュニティーに電子商取引サービスを提供する方法は、該サーバー２０が、該サーバー２０に接続された該カスタマー側装置１２或いは該外部装置４２のこれらアドレス情報により該カスタマー側装置１２或いは該外部装置４２が該物理コミュニティー１に位置するか否かを判断することにより、該アドレス情報とするほか、該サーバー２０が該カスタマー側装置１２或いは該外部装置４２の該サーバー２０におけるカスタマーアカウントの登録を許可するか否かを決定する根拠とし、より完全に、該物理コミュニティー１の該カスタマー１０に限って該オンラインショッピングプラットフォームの複数のカスタマーとして登録する目的を達成することができる。
【００４３】
ステップＳ２２とステップＳ３２はまた、ステップＳ３０とステップＳ４００の間に実施するように変更してもよく、該カスタマー側装置１２の該アドレス情報はすでにステップＳ２０からステップＳ３０で確認済みであるため、該サーバー２０はステップＳ３２で該カスタマー側装置１２が該物理コミュニティー１に位置すると判断した後に、ステップＳ４００に進入し、該カスタマー１０に、該カスタマー側装置１２を利用して該サーバー２０において該カスタマーアカウントを登録することを許可し、もし該外部人員４０が該外部装置４２を使用して匿名で該物理コミュニティー１内のそのうち一つのアドレス情報を使用し、ステップＳ３０の確認を通過したとしても、該サーバー２０はなおもステップＳ３２中で、該外部装置４２が該物理コミュニティー１に位置しないと判断し、ステップＳ４０２に進入し、該外部人員４０が該外部装置を利用して該サーバー２０においてカスタマーアカウントを登録するのを許可しない。
【００４４】
図１Ａに併せて図２を参照されたい。それは本発明の第２実施例のエレメント接続関係表示図である。図示されるように、本実施例の第１実施例との主要な違いは、電子商取引サービスを提供する該サーバー２０もまた、該ローカルエリアネットワーク１６内に含まれ、並びに該ルーター１４を通して該インターネット３に接続され、前述したように、該ルーター１４はこれらカスタマー側装置１２に、それぞれが使用する複数の仮想ＩＰアドレスを割り当て、同様に該ローカルエリアネットワーク１６内に含まれる該サーバー２０とこれらカスタマー側装置１２の間は、これら仮想ＩＰアドレスにより相互に識別され、これにより、本実施例中のステップＳ３２のとき、該サーバー２０は、該（これら）カスタマー側装置１２或いは該外部装置４２のこれらアドレス情報と該ルーター１４が該ローカルエリアネットワーク１６内において割り当てたこれら仮想ＩＰアドレスが一致するか否かを対比し、該（これら）外部装置４２或いは該外部装置４２が該物理コミュニティー１に位置するか否かを判断し、そうして該（これら）カスタマー１０或いは該外部人員４０が該（これら）カスタマー側装置１２或いは該外部装置４２を利用して該サーバー２０においてカスタマーアカウントを登録するのを許可するか否かを決定する。
【００４５】
もう一種の方法は、直接該ルーター１４を利用して、該外部装置４２が該ローカルエリアネットワーク１６内部の該サーバー２０に接続するのを禁止し、該サーバー２０による判断を不要とする、というものである。
【００４６】
本実施例と第１実施例中、これらカスタマー１０はいずれも該ローカルエリアネットワーク１６に含まれるこれらカスタマー側装置１２を使用し、該サーバー２０に、該ルーター１４が使用する固定の該物理ＩＰアドレス或いは該ルーター１４がこれらカスタマー側装置１２に割り当てたこれら仮想ＩＰアドレスにより、該カスタマー側装置１２が該物理コミュニティー内に位置するかを判断させ、該物理コミュニティー１自身はすでにインターネットサービスプロバイダー(Internet Service provider,ISP)と契約し並びに該物理コミュニティー１内の該ルーター１４を介して外部接続される該ローカルエリアネットワーク１６或いは該物理コミュニティー１中のこれらカスタマー１０がいずれも、同一の大家と賃貸借契約し、並びに該大家が該ルーター１４を介して外部接続する該ローカルエリアネットワーク１６を提供する状況下で、本実施例と第１実施例中、該アドレス情報によりこれらカスタマー側装置１２の位置を判断する方式は比較的実行可能性があるが、しかし、該物理コミュニティー１のこれらカスタマー１０が、すでにそれぞれ複数のインターネットサービスプロバイダと契約し、これらカスタマー側装置１２がそれぞれ物理ＩＰアドレスを有し並びに同一のローカルエリアネットワーク１６に含まれない状況では、本実施例と第１実施例の判断方法は使用することができない。
【００４７】
図１Ａに組み合わせて図３を参照されたい。それは本発明の第３実施例のエレメント接続関係表示図である。図示されるように、本実施例と第１実施例の主要な違いは、これらのカスタマー側装置１２がローカルエリアネットワーク１６内に包含されず、各自が該インターネット３に接続され、該サーバー２０に、これらカスタマー側装置１２或いは該外部装置４２のこれらアドレス情報を通してこれらカスタマー側装置１２或いは該外部装置４２が該物理コミュニティー１に位置しているか否かを判断させるために、本実施例中、これらカスタマー側装置１２は固定の物理ＩＰアドレスを使用すべきで、該オンラインショッピングプラットフォームを提供する該第３者業者が、事前にこれらカスタマー１０に関してこれらのカスタマー側装置１２のこれらの物理ＩＰアドレスを取得し、或いは、既知の該物理コミュニティー１が使用する物理ＩＰ周波数帯を利用し、該物理コミュニティー１に位置するこれらのカスタマー側装置１２が使用するこれらの物理ＩＰ位置を該サーバー２０に記録し、こうして該サーバー２０に、ステップＳ３２中で、該（これら）カスタマー側装置１２と該外部装置４２よりこれらアドレス情報を取得させて該（これら）カスタマー側装置１２と該外部装置４２が該物理コミュニティー１に位置しているか否かを判断させ、そうして該（これら）カスタマー１０或いは該外部人員４０が該（これら）カスタマー側装置１２或いは該外部装置４２を利用して該サーバー２０においてカスタマーアカウントを登録することを許可するか否かを決定する。
【００４８】
図４Ａと図４Ｂを参照されたい。それは本発明の第４実施例のステップフローチャートとエレメント接続関係表示図である。図４Ａに示されるように、本実施例中で提供される物理コミュニティーに電子商取引サービスを提供する方法の、第１実施例との主要な違いは、本実施例中では、ステップＳ１０の後からステップＳ２０の前、或いはステップＳ３０の後からステップＳ４００の前に、以下のステップを包含することである。
【００４９】
ステップＳ２４：サーバーがカスタマー側装置よりアドレス情報を取得する。
【００５０】
ステップＳ３４：サーバーがカスタマー側装置が物理コミュニティーに位置しているか否かを判断する。
【００５１】
図４Ｂに示されるように、物理コミュニティー１に居住するカスタマー１０は、該物理コミュニティー１内で、カスタマー側装置１２を使用してオンラインショッピングプラットフォームが架設されているサーバー２０に接続し、本実施例では、該カスタマー側装置１２は、アクセスポイント３０を介してインターネット３に接続され、並びに該インターネット３を介して該サーバー２０に接続され、同時に、衛星５を有して該カスタマー側装置１２に対して測位を行なえる。このほか、図中に示されている外部人員４０は、外部装置４２を利用して、別のアクセスポイント３０を通して該インターネット３に接続し、並びに該インターネット３を介して該サーバー２０に接続し、同時に、別の衛星５を有して該外部装置４２に対して測位を行なう。
【００５２】
ステップＳ２４中、該サーバー２０は、それぞれ該カスタマー側装置１２と該外部装置４２のこれら測位情報をそれぞれ取得し、前述したように、これら衛星５は、それぞれ該カスタマー側装置１２と該外部装置４２に対して、測位を行なってこれら測位情報を発生する。
【００５３】
ステップＳ３４中、該サーバー２０は、それぞれこれら測位情報に基づき、該カスタマー側装置１２と該外部装置４２が該物理コミュニティー１に位置するか否かを判断する。
【００５４】
該カスタマー１０は、該物理コミュニティー１中で該カスタマー側装置１２を使用するため、該衛星５が該カスタマー側装置１２を測位して発生した該測位情報は、該カスタマー側装置１２の位置が該物理コミュニティー１に位置していることを示し、該サーバー２０は該カスタマー側装置１２が該物理コミュニティー１中に位置すると判断すると、次のステップＳ２０を実行し、該カスタマー側装置１２より該アドレス情報を取得し、並びに該カスタマー１０が該カスタマー側装置１２を利用して該サーバー２０において該カスタマーアカウントを登録することを許可するか否かを判断し、或いは、ステップＳ４００を実行し、該カスタマー１０が該カスタマー側装置１２を利用して該サーバー２０において該カスタマーアカウントを登録することを許可する。
【００５５】
反対に、該外部人員４０は該物理コミュニティー１中で該外部装置４２を使用するのではないため、もう一つの衛星５が該外部装置４２を測位して発生する該測位情報は、該外部装置４２の位置が該物理コミュニティー１外に位置していることを示し、該サーバー２０は、該外部装置４２が該物理コミュニティー１中に位置しないと判断し、すなわち、ステップＳ４０２を実行し、該外部人員４０が該外部装置４２を利用して該サーバー２０においてカスタマーアカウントを登録することを許可しない。
【００５６】
ステップＳ１０からステップＳ７０を実行するほか、さらにステップＳ２４とステップＳ３４を実施することにより、本発明の提供する物理コミュニティーに電子商取引サービスを提供する方法は、該サーバー２０が、該サーバー２０に接続された該カスタマー側装置１２或いは該外部装置４２のこれら測位情報により、該カスタマー側装置１２或いは該外部装置４２が該物理コミュニティー１に位置しているか否かを判断して、該アドレス情報とする以外に、該サーバー２０が、該カスタマー側装置１２或いは該外部装置４２が該サーバー２０においてカスタマーアカウントを登録することを許可するか否かを決定する根拠となし、より完全に、該物理コミュニティー１のこれらカスタマー１０に限って該オンラインショッピングプラットフォームの複数のカスタマーとして登録できるようにする目的を達成することができる。
【００５７】
本実施例は別にこれら衛星５を通して該カスタマー側装置１２と該外部装置４２を測位して発生するこれら測位情報を、該サーバー２０が電子商取引サービスの使用を許可するか否かの根拠とし、もし、該外部人員４０が該物理コミュニティー１に進入して該外部装置４２を使用するならば、該外部人員４０を該物理コミュニティー１の該カスタマー１０ではないと判別することはできず、また、第１実施例から第３実施例中、もし、該ローカルエリアネットワーク１６或いはこれらカスタマー１０が各自でこれらインターネットワービスプロバイダ業者と使用契約したネットワーク内に無線ＩＰルーターがあれば（図３に示されるとおり）、該外部人員４０はまた該外部装置４２を通して該無線ＩＰルーターに接続し、該サーバー２０を通して該（これら）カスタマー側装置１２と該外部装置４２より取得したこれらアドレス情報に対して、判断、スクリーニングでき、このときにはまた、有効に該外部人員４０が該物理コミュニティー１の該カスタマー１０でないことを有効に判別できない。
【００５８】
もし、さらに本実施例中で、該物理コミュニティー１の該カスタマー１０に限って該サーバー２０が提供する電子商取引サービスを利用できるようにする効果を強化するならば、すなわち、ステップＳ１０において、該（これら）カスタマー側装置１２と該外部装置４２が該サーバー２０に接続された後に、別にチェック情報のチェックステップを包含する。
【００５９】
図５Ａから図５Ｂを参照されたい。それは本発明の第５実施例のステップフローチャートとエレメント接続関係表示図である。図５Ａに示されるように、本実施例中の、物理コミュニティーに電子商取引サービスを提供する方法の、第１実施例との主要な違いは、本実施例中では、ステップＳ１０の後からステップＳ２０の前に、さらに以下のステップを含むことにある。
【００６０】
ステップＳ２６：サーバーがカスタマー側装置よりチェック情報を取得する。
【００６１】
ステップＳ３６：サーバーがチェック情報が正確であるか否かを判断する。
【００６２】
図５Ｂに示されるように、物理コミュニティー１は、複数のカスタマー１０と複数のカスタマー側装置１２を包含し、これらカスタマー１０は、これらカスタマー側装置１２を使用して一つのサーバー２０に接続でき、該サーバー２０内には、オンラインショッピングプラットフォームが架設されている。本実施例中、これらカスタマー側装置１２は、それぞれインターネット３に接続され、該インターネット３を介して該ローカルエリアネットワーク１６外の該サーバー２０に接続される。そのうち、カスタマー側装置１２は、アクセスポイント３０を介して該インターネット３に接続される。このほか、図中には外部人員４０が外部装置４２を利用して該インターネット３に接続し、並びに該インターネット３を介して該サーバー２０に接続することが示されている。
【００６３】
本発明の各ステップを実施する前に、該第３者業者はさらに、これらカスタマー１０に、少なくとも一つのチェック情報を提供し、並びに該サーバー２０において、該チェック情報のチェックを設定し、これらカスタマー側装置１２と該サーバー２０に、仮想プライベートネットワーク(virtual private network,VPN)を形成させることができ、該チェック情報は、該ＶＰＮを通過するのに必要なアカウントパスワードとされ得て、該物理コミュニティー１のこれらカスタマー１０に限って該オンラインショッピングプラットフォームのこれらカスタマーとして登録させる効果を強化する。
【００６４】
ステップＳ２６中、該サーバー２０は該カスタマー側装置１２より該カスタマー１０が入力したチェック情報を取得し、別に、該外部装置４２より該外部人員４０が入力した別のチェック情報を取得する。
【００６５】
ステップＳ３６中、該サーバー２０は該カスタマー１０と該外部人員４０がそれぞれ該カスタマー側装置１２と該外部装置４２を通して入力し並びに該サーバー２０へと伝送したこれらのチェック情報が正確であるか否かをチェックする。
【００６６】
該カスタマー１０は該物理コミュニティー１に居住しているため、該第３者業者に対して正確な該チェック情報を取得でき、これにより、該カスタマー１０は、該カスタマー側装置１２を介して正確な該チェック情報を該サーバー２０へと伝送でき、該サーバー２０は該チェック情報が正確であると判断し、すなわち、次にステップＳ２０を実行し、該カスタマー側装置１２より取得した該アドレス情報で並びに該カスタマー１０が該カスタマー側装置１２を利用して該サーバー２０において該カスタマーアカウントを登録することを許可するか否かを判断する。
【００６７】
反対に、該外部人員４０は該物理コミュニティー１に居住していないため、該外部人員４０が該外部装置４２を介して該サーバー２０に伝送した該チェック情報は正確ではなく、該サーバー２０は該チェック情報が不正確であると判断し、以下のステップを実行する。
【００６８】
ステップＳ４６：サーバーはカスタマー側装置の接続を中断する。
【００６９】
ステップＳ４６中、該サーバー２０は該外部装置４２との接続を中断し、該外部人員４０がステップＳ２０からステップＳ７０のステップを続いて実行することができないようにし、該サーバー２０においてカスタマーアカウントを登録し並びに該オンラインショッピングプラットフォームのサービスを利用することができないようにする。
【００７０】
ステップＳ２６とステップＳ３６を余計に実施することにより、本発明の提供する物理コミュニティーに電子商取引サービスを提供する方法は、該サーバー２０が該カスタマー側装置１２と該外部装置４２が伝送するこれらカスタマー情報を受け取る前に、さらに少なくとも一つのチェック情報の正確性をチェックするように設定することにより、該オンラインショッピングプラットフォームのこれらカスタマーの身分に対する確認と制限を強化できる。
【００７１】
総合すると、本発明の提供する物理コミュニティーに電子商取引サービスを提供する方法中、カスタマー側装置が電子商取引サービスを提供するサーバーに接続するとき、該サーバーは、該カスタマー側装置より取得したアドレス情報が、物理コミュニティーに位置するか否かにより、該カスタマー側装置にサーバーにおいてカスタマーアカウントを登録することを許可するか否かを決定し、該カスタマーアカウントを登録した後に、該カスタマー側装置は該カスタマーアカウントで該サーバーにログインし並びに該サーバーにおいて商品サービスを注文でき、その後、該商品サービスは該アドレス情報に送られ、こうして、該物理コミュニティーのカスタマーに限り、該サーバーが提供する電子商取引サービスを利用できるようにし、該サーバーを提供する第３者業者が該物理コミュニティーのカスタマーが形成するカスタマーグループを掌握できるようにし、こうしてサプライヤーをこのカスタマーグループに結びつけて商品或いはサービスを提供し、該物理コミュニティーのカスタマーが形成するカスタマーグループはサプライヤーの、商品サービスの販売と配送のコストを減らせ、また、カスタマーグループ自身の価格交渉能力をアップし、比較的お得な価格プランをゲットできるようにし、本発明の実施により、売り手と買い手の双方の取り引きコストを減らせ、双方が共に利益を享受できるようになる。
【００７２】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００７３】
１  物理コミュニティー
１０  カスタマー
１２  カスタマー側装置
１４  ルーター
１６  ローカルエリアネットワーク
２０  サーバー
３  インターネット
３０  アクセスポイント
４０  外部人員
４２  外部装置
５  衛星
【図１Ａ】
2016009493.tif 000003
【図１Ｂ】
2016009493.tif 000004
【図２】
2016009493.tif 000005
【図３】
2016009493.tif 000006
【図４Ａ】
2016009493.tif 000007
【図４Ｂ】
2016009493.tif 000008
【図５Ａ】
2016009493.tif 000009
【図５Ｂ】
2016009493.tif 000010